【手続補正書】
【提出日】平成17年9月22日(2005.9.22)
【手続補正１】
【補正対象書類名】明細書
【補正対象項目名】特許請求の範囲
【補正方法】変更
【補正の内容】
【特許請求の範囲】            
【請求項１】  インターベンションデバイスであって、
体内に挿入可能な細長部材と、
体の状態を検出するための前記細長部材の遠位端に配置された検出システムと、
体の状態を示すシグナルを提供するための該細長部材の遠位端に配置された表示部と、
を包含する、デバイス。
【請求項２】  前記表示部がさらにインジケータを包含し、該インジケータが、体の状態を示す可視シグナルを提供する、請求項１に記載のインターベンションデバイス。
【請求項３】  前記インジケータが少なくとも１つの発光体を包含する、請求項２に記載のインターベンションデバイス。
【請求項４】  前記発光体の少なくとも１つが、（ａ）発光ダイオード、（ｂ）液晶表示部、または（ｃ）投写型表示部を包含する、請求項３に記載のインターベンションデバイス。
【請求項５】  前記インジケータが少なくとも１つの光学放射源を包含する、請求項２に記載のインターベンションデバイス。
【請求項６】  前記インジケータが少なくとも１つの化学的インジケータを包含する、請求項２に記載のインターベンションデバイス。
【請求項７】  前記化学的インジケータの少なくとも１つがリトマス試験紙である、請求項６に記載のインターベンションデバイス。
【請求項８】  前記インジケータが少なくとも１つのポリマー発光体を包含する、請求項２に記載のインターベンションデバイス。
【請求項９】  前記ポリマー発光体の少なくとも１つが少なくとも１つの有機発光ダイオードを包含する、請求項８に記載のインターベンションデバイス。
【請求項１０】  請求項１に記載のインターベンションデバイスであって、
前記表示部に電力を供給するための電源と、
をさらに包含する、デバイス。
【請求項１１】  前記表示部が、前記検出システムから検出された体の状態を受信し、該検出された体の状態を示す可視シグナルを提供する、請求項１０に記載のインターベンションデバイス。
【請求項１２】  前記検出システムが少なくとも１つのセンサを包含する、請求項１０に記載のインターベンションデバイス。
【請求項１３】  前記少なくとも１つのセンサが電極を包含する、請求項１２に記載のインターベンションデバイス。
【請求項１４】  前記少なくとも１つの光検出器が前記少なくとも１つの光源からの発光をモニターするように適合されている、請求項１に記載のインターベンションデバイス。
【請求項１５】  所定の波長を有する発光を選択的に検出するために、前記少なくとも１つの検出器に隣接して配置された少なくとも１つのフィルタをさらに包含する、請求項１４に記載のインターベンションデバイス。
【請求項１６】  前記表示部が、予め存在する視野内の体の状態を示す可視シグナルを提供する、請求項１に記載のインターベンションデバイス。
【請求項１７】  前記表示部は、身体の状態を示すシグナルを受信し、そして予め存在する視野内の体の状態を示す可視シグナルを提供するための検出システムに連結されている、請求項１に記載のインターベンションデバイス。
【請求項１８】  体の状態を示すシグナルを観測するためのインターベンションデバイスの作動を制御する方法であって、
該インターベンションデバイスは、検出システムとその遠位端に配置されている表示部とを備え、該方法は、
該体内のと該インターベンションデバイスと接触した、照らされた組織からのスペクトル放射を検出する工程と、
該検出された体の状態を示すシグナルを生成する工程と、
該表示部によって提供される検出された体の状態を示すシグナルを見る工程と、
を包含する、方法。
【請求項１９】  前記インターベンションデバイスは、前記体の状態を検出するために、前記インターベンションデバイスの遠位端に配置される検出システムをさらに備える、請求項１８に記載の方法。
【請求項２０】  前記体の状態を示す可視シグナルは、予め存在する視野内で提供される、請求項１８に記載の方法。
【請求項２１】  体の状態を示すシグナルを表示するためのインターベンションデバイスの作動を制御する方法であって、
該インターベンションデバイスは、検出システムと、その遠位端に配置されている表示部とを備え、該方法は、
該体の状態を検出するための該インターベンションデバイスによりに接触した、照らされた領域からのスペクトル放射を検出する工程と、
該検出された体の状態を示すシグナルを生成する工程と、
該検出された体の状態を示すシグナルを、該表示部上に表示する工程と、
を包含する、方法。
【請求項２２】  インターベンションデバイス（１０，３０，７０，９０）であって、
体内に挿入可能な遠位端を有する細長部材（１２，３２）と、
検出システム（１６，５２，７２）と表示部（１４，３４，９４）であって、該検出システム（１６，５２，７２は、）体の状態を検出するために、該細長部材（１２，３２）の遠位端に配置されていることを特徴とする、検出システムと表示部（１４，３４，９４）と、
該細長部材（１２，３２）の遠位端（１８）に配置された表示部（１４，３４，９４）であって、該表示部（１４，３４，９４）が、検出された体の状態を受信し、体の状態を示す可視シグナルを提供する検出システム（１６，５２，７２）に連結された、表示部（１４，３４，９４）と、
を備え、
ここで、該検出システム（１６，５２，７２）は、少なくとも１つの光源と少なくとも１つの光検出器を備える、
デバイス。
【請求項２３】  前記表示部（１４，３４，９４）は、体の状態を示す可視シグナルを提供するインジケータをさらに備える、請求項２２に記載のインターベンションデバイス（１０，３０，７０，９０）。
【請求項２４】  前記インジケータ（２０）は、以下：
（ａ）少なくとも１つの発光体；
（ｂ）発光ダイオード；
（ｃ）液晶表示部；または
（ｄ）投写型表示部；
（ｅ）少なくとも１つの光学放射源；
（ｆ）少なくとも１つの化学的インジケータ；
（ｇ）少なくとも１つのポリマー発光体；または
（ｈ）少なくとも１つの有機発光ダイオード
を含む、請求項２３に記載のインターベンションデバイス（１０，３０，７０，９０）。
【請求項２５】  請求項２２に記載のインターベンションデバイス（１０，３０，７０，９０）であって、
前記表示部（１４，３４，９４）に電力を供給するための電源（２２，２４）と、
をさらに包含する、デバイス。
【請求項２６】  前記表示部（１４，３４，９４）が、前記検出システム（１６，５２，７２）から検出された体の状態を受信し、該検出された体の状態を示す可視シグナルを提供する、請求項２２〜２５のいずれか１項に記載のインターベンションデバイス（１０，３０，７０，９０）。
【請求項２７】  前記検出システム（１６，５２，７２）が少なくとも１つのセンサを包含する、請求項２２〜２６のいずれか１項に記載のインターベンションデバイス（１０，３０，７０，９０）。
【請求項２８】  前記センサのうちの少なくとも１つが電極を包含する、請求項２７に記載のインターベンションデバイス（１０，３０，７０，９０）。
【請求項２９】  前記検出器（５６ａ，５６ｂ）のうちの少なくとも１つが前記光源のうちの少なくとも１つからの発光をモニターするように適合されている、請求項２２に記載のインターベンションデバイス（１０，３０，７０，９０）。
【請求項３０】  所定の波長を有する発光を選択的に検出するために、前記検出器（５６ａ，５６ｂ）のうちの少なくとも１つに隣接して配置された少なくとも１つのフィルタ（５８ａ，５８ｂ）をさらに包含する、請求項２９に記載の（１０，３０，７０，９０）。
【請求項３１】  前記表示部（１４，３４，９４）が、予め存在する視野、他には、前記インターベンションデバイス（１０，３０，７０，９０）によって提供される視野内の体の状態を示す可視シグナルを提供する、請求項２２〜３０のいずれか１項に記載のインターベンションデバイス（１０，３０，７０，９０）。